(57)【要約】【課題】杭と上部構造物の土台とを接合金物２を介して接合する杭基礎構造１の施工の際、杭の施工誤差を容易にかつ正確に吸収可能で、施工性向上と精度確保を実現可能にする。【解決手段】接合金物ガイド装置１１は、複数の杭３間を渡す、剛性の高い長尺体１１ａに、その長手方向に設計杭間隔に対応する所定間隔をあけて、接合金物２の位置決め部（土台側金物７のリブ７ｃ）と係合可能な位置決め用係合部１１ｂを備える。  基準として位置決めされた接合金物２（２０）を持つ両側の杭３（３０）間に接合金物ガイド装置の長尺体１１ａを渡す。中間にある複数の杭３上の接合金物２の位置調整は、その接合金物２の位置決め部７ｃを位置決め用係合部１１ｂと係合させるだけで、水平二方向及び高さ方向の位置調整が行われる。水糸を張る方法と比べて、能率的かつ正確に杭の施工誤差を調整可能となる。【選択図】図１
2017179863.tif 000002
【特許請求の範囲】
【請求項１】
鋼管製の杭とその上部構造物の土台とを接合金物を介して接合する杭基礎構造の施工において、前記接合金物が前記土台に対する位置決め部と前記杭の施工誤差を吸収する位置調整手段とを備えて前記接合金物の前記位置決め部の位置調整を行うための杭基礎用の接合金物ガイド装置であって、
前記杭基礎用の接合金物ガイド装置は、複数の杭間を渡す、剛性の高い長尺体を備え、
前記長尺体は、長手方向に設計杭間隔に対応する所定間隔をあけて、前記接合金物の前記位置決め部に係合可能な位置決め用係合部を設けたことを特徴とする杭基礎用の接合金物ガイド装置。
【請求項２】
前記接合金物の位置決め部は、当該接合金物の上面に鉛直に固定されたリブであって、土台との位置決め用の対土台位置決め孔を有し、
前記長尺体の前記位置決め用係合部は、前記の対土台位置決め孔に挿入可能な位置決め用ピンであることを特徴とする請求項１記載の杭基礎用の接合金物ガイド装置。
【請求項３】
前記接合金物の位置決め部は、当該接合金物の上面に鉛直に固定された、両側に鉛直端縁を持つリブであって
前記長尺体の前記位置決め用係合部は、前記のリブの両側にその鉛直端縁を両側から挟む位置に固定された対向する一対のプレートであることを特徴とする請求項１記載の杭基礎用の接合金物ガイド装置。
【請求項４】
前記長尺体は、山形断面鋼材であって、その縦辺部分に前記位置決め用ピンを設け、又は前記一対のプレートを固定したことを特徴とする請求項１又は２記載の杭基礎用の接合金物ガイド装置。
【請求項５】
前記接合金物の位置調整手段は、Ｘ軸方向及びＹ軸方向の水平２方向、及び鉛直なＺ方向に位置調整可能であることを特徴とする請求項１〜４のいずれか１項に記載の杭基礎用の接合金物ガイド装置。
【発明の詳細な説明】
【技術分野】
【０００１】
この発明は、基礎用の杭とその上部構造物の土台とを、打設された杭の施工誤差を吸収する位置調整機能を備えた接合金物を介して接合する際に、前記接合金物により杭の施工誤差が正しく吸収されるように前記接合金物の位置決め部の位置決めを行うための杭基礎用の接合金物ガイド装置に関する。
【背景技術】
【０００２】
建築物等の構造物の基礎には一般にコンクリート基礎が用いられ、地盤が悪い場合、地盤改良のための杭を打込みその上にコンクリート基礎を施工し、そのコンクリート基礎上に上部構造物の土台を設置することが行われている。
しか し、近年の型枠・鉄筋大工の減少、及びコンクリート養生期間短縮による施工効率アップ 等の観点から、コンクリート基礎を省略し、杭（鋼管杭）と上部建築物の土台とを接合金物を介して直接接合する杭基礎構造が提案されている。
【０００３】
この種の杭基礎構造として、例えば特許文献１（特開2010-196286「建物基礎用金具および建物基礎構造」)や、特許文献２（特許第5356482「太陽電池モジュール又は太陽電池アレイ用架台の基礎構造」）等がある。
特許文献１は、建物の耐震性を高めることを可能とする建物基礎用金具の構成についての提案である。
特許文献２は、架台の脚部下端に固定した円板状の連結金具に長穴を設け、この長穴に鋼管杭側から突出する接続軸を移動可能に取り付けた構成としたものであり、前記連結金具を移動調整して、架台脚部の軸心と杭の軸心との芯ずれを調整する。
【先行技術文献】
【特許文献】
【０００４】
【特許文献１】特開２０１０−１９６２８６
【特許文献２】特許５３５６４８２号
【発明の概要】
【発明が解決しようとする課題】
【０００５】
ところで、一般的に杭の施工は設計通りの正確な位置に施工することは難しく、水平方向及び高さ方向の施工誤差は避けられない。
したがって、コンクリート基礎を省き、接合金物を介して杭と上部構造物の土台とを接合する杭基礎構造を実現するためには、この施工誤差を吸収できる機構を設ける必要がある。
【０００６】
この施工誤差の吸収という点に関しては、特許文献１ではなんら言及されていない。
特許文献２は、連結金具を移動調整して架台脚部の軸心と杭の軸心との芯ずれを調整可能であるが、その連結金具をどのような基準で位置決めするかについては、地面から露出した鋼管杭上で複数本のヒモを互いに交差（直交）するように張り、ヒモの各交点が架台の脚部の軸心に位置するようにしておき、その交点とのズレ位置を確認して、円板状金具を移動調整する、という方法を記載している。
この調整方法は、水糸を張って位置調整を行うという一般的な方法であるが、その水糸を張るため、施工敷地の外周部にＧＬから一定の高さにした水杭や水貫（板)を張り巡らせる煩雑な作業が必要となる。
【０００７】
また、水糸による調整方法では、位置調整に高い精度を期待できないという問題がある。
特に、接合金物を介して杭と土台とを接合する杭基礎構造の施工には、接合金物を土台に対して高い精度で調整する必要があり、水糸による位置決めは適切とは言い難い。
さらに、土台が木土台である場合、十分高い精度が得られないことは、以下に述べる事情から最大の課題となる。
【０００８】
木土台の場合、現場での施工能率向上のため、予め工場で木材に加工を施し、現場での組立を簡略化したプレカット工法が主流となっている。
前記プレカット工法は、近年の技能工不足や施工技量のばらつき、施工性の改善を目的に普及してきた工法であり、全て工場生産のため加工精度が非常に高い。
そして、接合金物を用いる杭基礎構造では、木材（木土台）に前記接合金物の例えばリブに合わせたスリットや切込み等の加工を施し、前記接合金物の例えばリブをスリット等に差し込み、接合金物のリブと土台とをドリフトピンやボルト等で結合する。
このように、接合金物を用いる杭基礎構造の接合金物にプレカットの木土台を接合する場合、予め設けたスリット等へ、杭頭部に設置した接合金物の例えばリブを挿入しドリフトピン等で結合しなければならないため、杭の水平誤差(設計値に対し±５０ｍｍ程度)に加え、鉛直方向の施工誤差（±１０ｍｍ 程度)に対しても、木土台設置前に接合金物を精度良く位置決めしておかなければならない。
工場でのプレカットの施工誤差は、一般的には０．５ｍｍ 以下と言われており、緻密な位置調整が必要となってくるため、水糸を使った位置調整方法は接合金物を用いる杭基礎構造の施工には適さないという問題があった。
【０００９】
本発明は上記背景のもとになされたもので、基礎用の杭とその上部構造物の土台とを、打設された杭の施工誤差を吸収する位置調整機能を備えた接合金物を介して接合する際に、接合金物を杭頭部に能率的に、かつ正確に位置決めして取り付けることを可能にし、工期短縮等の施工性向上と精度確保との両方を実現できる杭基礎用の接合金物ガイド装置を提供することを目的とする。
【課題を解決するための手段】
【００１０】
上記課題を解決する請求項１の発明は、  鋼管製の杭とその上部構造物の土台とを接合金物を介して接合する杭基礎構造の施工において、前記接合金物が前記土台に対する位置決め部と前記杭の施工誤差を吸収する位置調整手段とを備えて前記接合金物の前記位置決め部の位置調整を行うための杭基礎用の接合金物ガイド装置であって、
前記杭基礎用の接合金物ガイド装置は、複数の杭間を渡す、剛性の高い長尺体を備え、
前記長尺体は、長手方向に設計杭間隔に対応する所定間隔をあけて、前記接合金物の前記位置決め部に係合可能な位置決め用係合部を設けたことを特徴とする。
【００１１】
請求項２は、請求項１の杭基礎用の接合金物ガイド装置において、前記接合金物の位置決め部は、当該接合金物の上面に鉛直に固定されたリブであって、土台との位置決め用の対土台位置決め孔を有し、前記長尺体の前記位置決め用係合部は、前記の対土台位置決め孔に挿入可能な位置決め用ピンであることを特徴とする。
【００１２】
請求項３は、請求項１の杭基礎用の接合金物ガイド装置において、前記接合金物の位置決め部は、当該接合金物の上面に鉛直に固定された、両側に鉛直端縁を持つリブであって、前記長尺体の前記位置決め用係合部は、前記のリブの両側にその鉛直端縁を両側から挟む位置に固定された対向する一対のプレートであることを特徴とする。
【００１３】
請求項４は、請求項１又は２の杭基礎用の接合金物ガイド装置において、前記長尺体は、山形断面鋼材であって、その縦辺部分に前記位置決め用ピンを設け、又は前記一対のプレートを固定したことを特徴とする。
【００１４】
請求項５は、  請求項１〜４のいずれか１項の杭基礎用の接合金物ガイド装置において、前記接合金物の位置調整手段は、Ｘ軸方向及びＹ軸方向の水平２方向、及び鉛直なＺ方向に位置調整可能であることを特徴とする。
【発明の効果】
【００１５】
本発明の接合金物ガイド装置を用いて、施工敷地において打設された各杭の芯ずれを調整する場合、施工誤差はあるが直線状に並ぶ複数の杭のうちの両端の杭について（例えば、施工領域の四隅の杭、及び必要に応じてその中間の杭のうちの、複数の杭を間に挟む両側の２つの杭について）、それらの杭頭部に取り付けた接合金物を杭位置の基準となるように予め位置決めしておく。
そして、基準として位置決めされた前記接合金物を上部に持つ両側の杭間に渡すように、接合金物ガイド装置の長尺体を設置する。すなわち、両側の杭の頭部の接合金物の位置決め部を、それぞれ長尺体の両端の位置決め用係合部に係合させる。
前記両側の杭間にある複数の杭について、その杭頭部に位置調整可能な状態で取り付けられている接合金物の位置決め部を、前記長尺体の中間の位置決め用係合部と係合させると、その接合金物は杭の施工誤差を吸収するように位置調整されているので、その位置調整された接合金物を本固定する。
杭施工領域の全体の杭の適宜に区分けした各領域について、上記の作業を繰り返して行うことで、杭施工領域の全体の杭について、杭頭部の接合金物の位置調整を行うことができる。
【００１６】
上記の通りであり、水糸を張るための水貫等の設置・高さ調整等の事前作業、及び水糸の設置が不要となり、杭の施工誤差調整のための道具は接合金物ガイド装置のみで済み、能率的に杭の施工誤差を調整可能で、施工性が向上し工期短縮が可能となる。
【００１７】
この接合金物ガイド装置による位置調整は、鋼材等のような剛性の高い長尺体を用いるので、容易に撓む水糸の場合と比べて容易に精度が確保される。
また、接合金物を手操作で位置調整する場合と比べて、長尺体側の位置決め用係合部と接合金物側の位置決め部とを係合させることで位置決めするので、誤差の生じない位置調整が行われ、この点で高い精度が確保される。
また、複数の杭上の接合金物毎に、長尺体側の位置決め用係合部と接合金物側の位置決め部とを係合させる作業が必要ではあるが、その係合作業自体は精度を要求される作業ではなく極めて簡単であるから、複数の杭について概ね一括して接合金物の位置調整ができるということもでき、位置決め作業が極めて能率的になる。
【００１８】
また、接合金物ガイド装置の長尺体は、鋼材等の強度の高い材料で作るので、 折れ、曲がり、錆等が発生しない限り、使い回しが可能である。 
【図面の簡単な説明】
【００１９】
【図１】杭とその上部構造物の土台とを接合金物を介して接合する杭基礎構造の施工において使用される、本発明の一実施例の杭基礎用の接合金物ガイド装置の使用態様を説明する図である。
【図２】図１における１つの杭の部分の拡大図である（但し接合金物ガイド装置の長尺体を二点鎖線で示している）。
【図３】図２のＸ軸方向と反対側（手前側）から見た側面図である。
【図４】図２のＹ軸方向から見た側面図である。
【図５】図２の分解斜視図である。
【図６】（イ）は図３の平面図、（ロ）は（イ）における土台側金物を外して見た平面図、（ハ）は（ロ）における位置調整金物を外して見た平面図である（但し、いずれも長尺体１１ａは示さず）。
【図７】図３における接合金物ガイド装置を撤去して土台（木土台）が設置された状態を示した図である。
【図８】図４における接合金物ガイド装置を撤去して土台（木土台）が設置された状態を示した図である。
【図９】実施例１の接合金物ガイド装置における位置決め用係合部についての他の実施例を示すもので、図２に対応する図である。
【図１０】図９のＸ軸方向と反対側（手前側）から見た一部を断面で示した側面図である。
【図１１】図９のＹ軸方向から見た側面図である。
【図１２】（イ）は図１〜図８の実施例における接合金物ガイド装置の部分省略の正面図、（ロ）は（イ）の右側面図、（ハ）は図９〜図１１の実施例における接合金物ガイド装置の部分省略の正面図、（ニ）は（ハ）の右側面図である。
【発明を実施するための形態】
【００２０】
以下、本発明の杭基礎用の接合金物ガイド装置を実施するための形態について、図面を参照して説明する。
【実施例１】
【００２１】
図１は鋼管製の杭３とその上部構造物の土台とを接合金物２を介して接合する杭基礎構造１の施工において使用される杭基礎用の接合金物ガイド装置１１の使用態様を説明する図である。図２は図１における１つの杭の部分の拡大図である（但し接合金物ガイド装置の長尺体を二点鎖線で示している）。図３は図２のＸ軸方向と反対側（手前側）から見た側面図、図４は図２のＹ軸方向から見た側面図、図５は図２の分解図である。
これらの図に示すように、この杭基礎構造１は、鋼管製の杭３とその上部構造物の木製の土台４とを前記接合金物２を介して接合してなる杭基礎構造である。
前記接合金物２は、杭３の頭部３ａと接合する杭側金物６と、土台４と接合する土台側金物７と、前記杭側金物６と土台側金物７との間に介在して前記杭側金物６と土台側金物７とを、互いに直交するＸ軸方向及びＹ軸方向の水平２方向に位置調整可能に接合するための位置調整金物８とを備え、かつ、前記土台側金物の高さ位置を調整するため高さ位置調整手段を備えている。この実施例での高さ位置調整手段は後述するスペーサ２０である。
【００２２】
杭側金物６と位置調整金物８との結合関係、位置調整金物８と土台側金物７との結合関係を、図６（イ）、（ロ）、（ハ）に補足して示す。図６（イ）は図３の平面図、（ロ）は（イ）における土台側金物７を外して見た平面図、（ハ）は（ロ）における位置調整金物８を外して見た平面図である。但し、いずれも接合金物ガイド装置１１の図示は省いている。
【００２３】
前記杭側金物６は、半円筒部６ａの両側にフランジ部６ｂを持ち、それぞれの半円筒部内径側の上部に水平プレート６ｃを固定した一対の可撓性金属板からなるバンド状の半割部材６ｄと、前記各水平プレート６ｃに鉛直に固定された対位置調整金物接合用（位置調整金物と接合するための）の第１接合用ボルト６ｅとを備えている。この杭側金物６における水平プレート６ｃを除いた部分は、電柱用バンド等と称されるものの中で、両側にフランジを持つ一対の半割部材をボルトで結合するタイプのものと概ね同様である。
第１接合用ボルト６ｅは、水平プレート６ｃにあけた孔にプレート下面側から通し、下面側のボルト頭を水平プレート６ｃに溶接固定している（スポット溶接による仮付け固定程度でよい）。
そして、前記一対の半割部材６ｄで杭頭部３ａを両側から挟み、前記フランジ部６ｂ同士を、そのボルト挿通孔６ｆに通したボルト１２及びこれに螺合させたナット１３で締め付けて杭頭部３ａに接合する。
【００２４】
前記位置調整金物８は、板状本体８ａに、前記杭側金物６の２つの第１接合用ボルト６ｅがそれぞれ挿入されるＹ軸方向に長い２つの第１長孔８ｂを有し、かつ、Ｙ軸方向に間隔をあけて鉛直に固定された対土台側金物接合用（土台側金物と接合するための）の２つの第２接合用ボルト８ｃを有する構成である。前記第１接合用ボルト６ｅに螺合させるナットを６ｅ’で示す。
前記第２接合用ボルト８ｃは、板状本体８ａにあけた孔にそのボルト軸部を挿入し板状本体８ａの下面側にあるボルト頭８ｄを、当該ボルト８ｃが抜け落ちないように溶接固定している（スポット溶接による仮付け固定程度でよい）。
なお、図示例では板状本体８ａの下面に、前記ボルト頭８ｄを交わすスペースを設けるための板状脚８ｅを設けている。
【００２５】
前記土台側金物７は、板状本体７ａに、前記位置調整金物８の前記２つの第２接合用ボルト８ｃがそれぞれ挿入されるＸ軸方向に長い２つの第２長孔７ｂを有し、かつ、その上面に土台に対する位置決め部であるリブ７ｃを有する構成である。リブ（位置決め部）７ｃは、土台４と位置合わせするためのドリフトピン挿通孔７ｄを有し、板状本体７ａに鉛直に固定されている。前記第２接合用ボルト８ｃに螺合させるナットを８ｃ’で示す。
【００２６】
図３、図４において、符号２０は、土台側金物７の高さ位置調整手段として、土台側金物７の板状本体７ａと位置調整金物８の板状本体８ａとの間にスペーサを介在させる場合のそのスペーサである。
【００２７】
杭３の頭部に取り付けられた上記の接合金物２の位置調整操作について説明すると、Ｙ軸方向の位置調整は、位置調整金物８を杭側金物６に対してＹ軸方向に移動調整する。この場合、杭側金物６の第１接合用ボルト６ｅが挿入されている位置調整金物８の第１長孔８ｂがＹ軸方向の長孔であるから、位置調整金物８をＹ軸方向に移動調整できる。
Ｘ軸方向の位置調整は、土台接合金物７を位置調整金物８に対してＸ軸方向に移動調整する。この場合、位置調整金物８の第２接合用ボルト８ｃが挿入されている土台接合金物７の第２長孔７ｂがＸ軸方向の長孔であるから、土台接合金物７をＸ軸方向に移動調整できる。
【００２８】
前記接合金物ガイド装置１１は、図１〜図３、図１２（イ）、（ロ）に示すように、  複数の杭間を渡す、剛性の高い真直な長尺体１１ａに、その長手方向に設計杭間隔に対応する所定間隔をあけて、前記土台側金物７のリブ７ｃを位置決め係合させるための位置決め用係合部１１ｂを設けている。この実施例では、位置決め用係合部１１ｂとして、リブ７ｃの２つのドリフトピン挿通孔７ｄに対応して挿入可能な２本の位置決め用ピン１１ｃを設けている。
実施例では、長尺体１１ａとして例えば辺長さ７０ｍｍの等辺の軽量山形鋼を用いている。また、実施例では位置決め用ピン１１ｃとしてのボルトを長尺体１１ａ側にあけた位置決め用ピン挿入孔に挿入固定している。
なお、位置決め用ピン１１ｃを長尺体１１ａの位置決め用ピン挿入孔に固定せずに、位置決め操作時にその位置決め用ピン挿入孔に挿入して土台側金物７のリブ７ｃと係合させるようにしてもよい。
【００２９】
上述の接合金物ガイド装置１１を用いて、施工敷地において打設された各杭の芯ずれを調整する場合、例えば、施工領域の四隅の杭、及び必要に応じてその中間の杭のうちの、複数の杭を間に挟む両側の２つの杭について、それらの杭頭部に取り付けた接合金物２を杭位置の基準となるように正しく位置決めしておく。
図１に示した実施例の場合について説明すると、施工誤差はあるが直線状に並ぶ図示例では４本の杭３のうちの両端の杭３（３０）について、それらの杭頭部に取り付けた接合金物２（２０）を杭位置の基準となるように予め位置決めしておく。ここで、“接合金物２を位置決めする”という場合、接合金物２の土台側金物７を設計杭位置に対応するように正しく位置決めすることであり、直接には土台側金物７の位置決め部であるリブ７ｃを正しく位置決めすることを指している。
【００３０】
そして、基準として位置決めされた前記接合金物２（２０）を上部に持つ両側の杭３（３０）間に渡すように、接合金物ガイド装置１１の長尺体１１ａを設置する。すなわち、両側の杭３（３０）の頭部の接合金物２（２０）の土台側金物７のリブ７ｃを、それぞれ長尺体１１ａの両端の位置決め用係合部１１ｂに係合させる。具体的にはリブ７ｃの２つのドリフトピン挿通孔７ｄに、長尺体１１ａの両端の位置決め用係合部１１ｂの２つの位置決め用ピン１１ｃを挿入して、土台側金物７のリブ７ｃを長尺体１１ａの位置決め用係合部１１ｂに係合させる。
【００３１】
その後、両側の杭３（３０）の間にある図示例では２本の杭３について、その杭頭部に位置調整可能な仮取付け状態で取り付けられている接合金物２の位置調整を行う。なお、“調整可能な仮取付け状態”とは、接合金物２における位置調整金物８が杭側金物６に対してＹ軸方向に移動可能（ナット６ｅ’を締着していない状態）、かつ、土台側金物７が位置調整金物８に対してＸ軸方向に移動可能（ナット８ｃ’を締着していない状態）である状態を指す。
すなわち、杭３の頭部３ａに仮取り付けされた接合金物２の土台側金物７のリブ７ｃを、長尺体１１ａの中間の対応する位置決め用係合部１１ｂに係合させる。具体的にはリブ７ｃの２つのドリフトピン挿通孔７ｄに、長尺体１１ａの中間の対応する位置決め用係合部１１ｂの２つの位置決め用ピン１１ｃを挿入して、土台側金物７のリブ７ｃを長尺体１１ａの中間の対応する位置決め用係合部１１ｂに係合させる。
この状態で、中間の接合金物２は（直接的にはその土台側金物７は）杭の施工誤差を吸収するように正しく位置調整されていることになる。
この時点で、位置調整金物８の板状本体８ａと土台側金物７の板状本体７ａとの間に両板状本体８ａ、７ａ間の隙間を埋める正確な高さ寸法のスペーサ２０を挿入する。
次いで、杭側金物６の第１接合用ボルト６ｅに位置調整金物８の板状本体８ａの上面側で螺合しているナット６ｅ’を締着し、かつ、位置調整金物８の第２接合用ボルト８ｃに土台側金物７の板状本体７ａの上面側で螺合しているナット８ｃ’を締着すると、接合金物２が水平二方向及び高さ方向に正しく位置調整された状態（直接的には土台側金物７が水平二方向及び高さ方向に正しく位置調整された状態）で杭頭部に固定される。
【００３２】
上述のように接合金物２の調整作業を終えると、接合金物ガイド装置１１を接合金物２から取り外し、その接合金物ガイド装置１１を用いて次の領域の杭について同様な作業を行い、杭施工領域の全体の杭の適宜に区分けした各領域について、同様な作業を順次繰り返して行うことで、杭施工領域の全体の杭の芯ずれ調整が行われる。
【００３３】
上記の通りであり、水糸を張るための水貫等の設置・高さ調整等の事前作業、及び水糸の設置が不要となり、杭の施工誤差調整のための道具は接合金物ガイド装置１１のみで済み、能率的に杭の施工誤差を調整することが可能となる。
【００３４】
この接合金物ガイド装置１１による位置調整は、剛性の高い鋼製の長尺体１１ａを用いて行うので、容易に撓む水糸の場合と比べて容易に精度が確保される。
また、長尺体１１ａ側の位置決め用ピン１１ｃ（位置決め用係合部１１ｂ）と接合金物２側のリブ７ｃ（位置決め部）とを係合させることで位置決めするので、接合金物を手操作で位置調整する場合と比べて、誤差の生じない位置調整が行われ、この点でも高い精度が確保される。
また、複数の杭上の接合金物２毎に、長尺体１１ａ側の位置決め用ピン１１ｃと接合金物２側のリブ７ｃとを係合させる作業が必要ではあるが、その係合作業自体は精度を要求される作業ではなく極めて簡単であるから、複数の杭３について概ね一括して接合金物２の位置調整ができるということもでき、位置決め作業が極めて能率的になる。
また、鋼製の長尺体１１ａは強度が十分高いので、 折れ、曲がり、錆等が発生しない限り、使い回しが可能である。なお、剛性が十分であれば、金属製に限らず樹脂製の長尺体を用いてもよい。
【００３５】
施工領域の全体の杭について杭施工誤差を吸収するように接合金物２を杭頭部に固定した後、図７、図８に示すように上部構造物の土台４が設置される。
実施例の土台４は木土台であり、土台４の下面に設けた溝４ａに土台側金物７のリブ７ｃが入るように、土台４を土台側金物７の板状本体７ａ上に載せる。
そして、土台４の長手方向の位置合わせとして、土台４に設けた横向きのドリフトピン嵌合孔４ｂの開口端からドリフトピン２２を差し込み、土台側金物７のドリフトピン挿通孔７ｄを貫通させる。実施例のドリフトピン嵌合孔４ｂは貫通しており、土台側面のどちら側からでも挿通できる。
【実施例２】
【００３６】
図９〜図１１、図１２（ハ）、（ニ）に実施例１の接合金物ガイド装置１１における位置決め用係合部１１ａについての他の実施例を示す。対象とする接合金物２は同じである。
この実施例の接合金物ガイド装置３１は、実施例１と同じ軽量山形鋼による長尺体３１ａの位置決め用係合部３１ｂとして、前述の接合金物ガイド装置１１における２つの位置決め用ピン１１ｃからなる位置決め用係合部１１ｂに代えて、軽量山形鋼の縦辺３１ｅの部分に、土台側金物７のリブ７ｃの両側の鉛直端縁を挟む位置で対向する一対のプレート３１ｃを溶接固定したものである。
【００３７】
この実施例の接合金物ガイド装置３１は、位置決め用係合部３１ｂが実施例１のものと異なるが、基本的な使用の仕方は概ね実施例１と同様である。
すなわち、基準として位置決めされた前記接合金物２（２０）を上部に持つ両側の杭３（３０）間に渡すように、接合金物ガイド装置３１の長尺体３１ａを設置する。
次いで、杭３の頭部３ａに仮取り付けされた接合金物２の土台側金物７のリブ７ｃを、長尺体３１ａの中間の対応する位置決め用係合部３１ｂに係合させる。具体的には、接合金物２の位置決め部である土台側金物７のリブ７ｃが、位置決め用係合部３１ｂである一対のプレート３１ｃ間に収まるように、かつリブ７ｃの背面が山形鋼である長尺体３１ａの縦辺３１ｅの内面に接触する態様で、かつ、リブ７ｃの上端面が長尺体３１ａの天面（水平な横辺）３１ｄに当たるまで上げる。
この状態で、接合金物２は杭の施工誤差を吸収するように正しく位置調整されていることになるので、位置調整金物８の板状本体８ａと土台側金物７の板状本体７ａとの間にスペーサを挿入し、その状態で第１接合用ボルト６ｅに螺合しているナット６ｅ’を締着し、第２接合用ボルト８ｃに螺合しているナット８ｃ’を締着すると、接合金物２が正しく位置調整された状態で杭頭部に固定される。
【符号の説明】
【００３８】
１  杭基礎構造
２  接合金物
３  （鋼管製の）杭
３ａ  杭頭部
４  土台
４ａ  溝
４ｂ  ドリフトピン嵌合孔
６  杭側金物
６ａ  半円筒部
６ｂ  フランジ部
６ｃ  水平プレート
６ｄ  半割部材
６ｅ  第１接合用ボルト
６ｆ  ボルト挿通孔
７  土台側金物
７ａ  板状本体
７ｂ  第２長孔
７ｃ  リブ（位置決め部）
７ｄ  ドリフトピン挿通孔（対土台位置決め孔）
８  位置調整金物
８ａ  板状本体
８ｂ  第１長孔
８c  第２接合用ボルト
８ｃ’  （第２接合用ボルトに螺合させる）ナット
８ｄ  （第２接合用ボルトの）ボルト頭
１１、３１  杭基礎用の接合金物ガイド装置
１１ａ、３１ａ  長尺体
１１ｂ、３１ｂ  位置決め用係合部
１１ｃ  位置決め用ピン
２０  スペーサ（高さ位置調整手段）
２２  ドリフトピン
３１ｃ  プレート
３１ｄ  天面
３１ｅ  縦辺
【図１】
2017179863.tif 000003
【図２】
2017179863.tif 000004
【図３】
2017179863.tif 000005
【図４】
2017179863.tif 000006
【図５】
2017179863.tif 000007
【図６】
2017179863.tif 000008
【図７】
2017179863.tif 000009
【図８】
2017179863.tif 000010
【図９】
2017179863.tif 000011
【図１０】
2017179863.tif 000012
【図１１】
2017179863.tif 000013
【図１２】
2017179863.tif 000014